(57)【要約】【課題】  簡易な操作部であっても自機にて、煩雑な操作をすることなく、ネットワーク通信の設定パラメータの値を設定できるようにすること。【解決手段】  オーダシート解析部１３は、スキャナ装置３およびスキャナ制御部４により読み取られたオーダシートの記載内容から画像処理により通信プロトコルの設定パラメータの値を取得する。そして、ネットワーク管理部９は、その設定パラメータの値を、有線ネットワーク制御部６および／または無線ネットワーク制御部８に設定する。【選択図】  図１
2006080725.tif 000002
【特許請求の範囲】
【請求項１】
媒体の記載内容を画像として光学的に読み取り画像データ化する読取手段を備える画像入力装置において、
有線および／または無線でネットワークに接続可能なネットワークインタフェースと、
上記ネットワークインタフェースを介して所定の通信プロトコルで通信を行う通信手段と、
上記読取手段により読み取られた媒体の記載内容から画像処理により上記通信プロトコルの設定パラメータの値を取得するパラメータ値取得手段と、
上記パラメータ値取得手段により取得された設定パラメータの値を、上記通信手段に設定する設定手段と、
を備えることを特徴とする画像入力装置。
【請求項２】
前記パラメータ値取得手段は、動的ホスト構成プロトコルの使用／不使用のパラメータ、当該装置のＩＰアドレス、サブネットマスク、ゲートウェイのＩＰアドレスおよびＤＮＳサーバのＩＰアドレスのうちの少なくとも１つの設定パラメータの値を取得することを特徴とする請求項１記載の画像入力装置。
【請求項３】
前記通信手段は、無線ＬＡＮ用の通信手段であり、
前記パラメータ値取得手段は、ＷＥＰキーおよびＳＳＩＤのうちの少なくとも１つの設定パラメータの値を取得すること、
を特徴とする請求項１記載の画像入力装置。
【請求項４】
前記パラメータ値取得手段は、前記媒体に記載された識別子の画像データからその媒体に記載されている設定パラメータを特定し、特定した設定パラメータについて、前記読取手段により読み取られた媒体の記載内容から前記設定パラメータの値を取得することを特徴とする請求項１記載の画像入力装置。
【請求項５】
前記パラメータ値取得手段は、前記読取手段により読み取られた媒体の画像内の複数の塗潰用セグメントを有するセグメント塗潰型記入欄について塗潰用セグメントの塗り潰しパターンから１文字の数字またはアルファベットを特定し、１または複数のセグメント塗潰型記入欄について特定した１または複数の数字および／またはアルファベットを、前記通信プロトコルの設定パラメータの値とすることを特徴とする請求項１記載の画像入力装置。
【請求項６】
ある媒体の記載内容を画像として光学的に読み取り画像データ化する読取手段と、ある媒体に印刷をする印刷手段とを備える画像入出力装置において、
有線および／または無線でネットワークに接続可能なネットワークインタフェースと、
上記ネットワークインタフェースを介して所定の通信プロトコルで通信を行う通信手段と、
上記読取手段により読み取られた媒体の記載内容から画像処理により上記通信プロトコルの設定パラメータの値を取得するパラメータ値取得手段と、
上記パラメータ値取得手段により取得された設定パラメータの値を上記通信手段に設定する設定手段とを備え、
上記印刷手段は、上記通信プロトコルの設定パラメータの値の記入欄を媒体に印刷し、
上記パラメータ値取得手段は、上記読取手段により得られた媒体の画像データから、上記印刷手段により媒体に印刷された記入欄への記載内容を特定し、その記載内容から上記設定パラメータの値を取得すること、
を特徴とする画像入出力装置。
【請求項７】
前記パラメータ値取得手段は、動的ホスト構成プロトコルの使用／不使用のパラメータ、当該装置のＩＰアドレス、サブネットマスク、ゲートウェイのＩＰアドレスおよびＤＮＳサーバのＩＰアドレスのうちの少なくとも１つの設定パラメータの値を取得することを特徴とする請求項６記載の画像入出力装置。
【請求項８】
前記通信手段は、無線ＬＡＮ用の通信手段であり、
前記パラメータ値取得手段は、ＷＥＰキーおよびＳＳＩＤのうちの少なくとも１つの設定パラメータの値を取得すること、
を特徴とする請求項６記載の画像入出力装置。
【請求項９】
前記印刷手段は、前記通信プロトコルの設定パラメータの値の記入欄を媒体に印刷する際に、その媒体に記入欄を印刷する設定パラメータの種類を示す識別子をその媒体に併せて印刷することを特徴とする請求項６記載の画像入出力装置。
【請求項１０】
前記パラメータ値取得手段は、前記媒体に記載された識別子の画像データからその媒体に記載されている設定パラメータを特定し、特定した設定パラメータについて、前記読取手段により読み取られた媒体の記載内容から前記設定パラメータの値を取得することを特徴とする請求項６または請求項９記載の画像入出力装置。
【請求項１１】
前記印刷手段は、前記設定手段による設定パラメータの値の設定後に、前記通信手段に設定されている通信プロトコルの設定パラメータの値のリストを印刷することを特徴とする請求項６記載の画像入出力装置。
【請求項１２】
前記設定手段により前記通信プロトコルの設定パラメータの値が設定された後に、前記通信プロトコルまたはその上位プロトコルによって通信を行い、その設定パラメータの値での通信の可否を検証する検証手段を備え、
前記印刷手段は、前記検証手段の検証結果を印刷すること、
を特徴とする請求項６記載の画像入出力装置。
【請求項１３】
前記印刷手段は、前記通信プロトコルの設定パラメータの値の記入欄を媒体に印刷する際に、同一の媒体または別の媒体に、現時点で設定されている前記通信プロトコルの設定パラメータの値のリストを印刷することを特徴とする請求項６記載の画像入出力装置。
【請求項１４】
前記印刷手段は、前記通信プロトコルの設定パラメータの値の記入欄を媒体に印刷する際に、塗り潰しパターンから数字またはアルファベットを特定可能な複数の塗潰用セグメントを有するセグメント塗潰型記入欄を、所定の文字数分、印刷することを特徴とする請求項６記載の画像入出力装置。
【請求項１５】
前記パラメータ値取得手段は、前記読取手段により読み取られた媒体の画像内の複数の塗潰用セグメントを有するセグメント塗潰型記入欄について塗潰用セグメントの塗り潰しパターンから１文字の数字またはアルファベットを特定し、１または複数のセグメント塗潰型記入欄について特定した１または複数の数字および／またはアルファベットを、前記通信プロトコルの設定パラメータの値とすることを特徴とする請求項６または請求項１４記載の画像入出力装置。
【請求項１６】
前記印刷手段は、前記通信プロトコルの設定パラメータの値の記入欄を媒体に印刷するとともに、その記入欄に現在の設定値を印刷することを特徴とする請求項６、請求項１４および請求項１５のうちのいずれか１項記載の画像入出力装置。
【請求項１７】
媒体の記載内容を画像として光学的に読み取り画像データ化する読取手段と、有線および／または無線でネットワークに接続可能なネットワークインタフェースと、上記ネットワークインタフェースを介して所定の通信プロトコルで通信を行う通信手段とを備える画像入力装置の通信用パラメータ値設定方法において、
上記読取手段により媒体の記載内容を読み取るステップと、
上記読取手段により読み取られた媒体の記載内容から画像処理により上記通信プロトコルの設定パラメータの値を取得するステップと、
取得した上記設定パラメータの値を上記通信手段に設定するステップと、
を備えることを特徴とする通信用パラメータ値設定方法。
【発明の詳細な説明】
【技術分野】
【０００１】
本発明は、ＬＡＮ通信、ピアトゥピア通信などを含むネットワーク通信機能を有する画像入力装置および画像入出力装置、並びに通信用パラメータ値設定方法に関するものである。
【背景技術】
【０００２】
従来からＩＰ（Internet Protocol ）ネットワークに接続可能なプリンタが提案されている（例えば特許文献１）。
【０００３】
通常、ＩＰネットワークに収容されるネットワーク装置がＩＰに基づいて通信を行う場合、ネットワーク内でそのネットワーク装置を識別可能なＩＰアドレスなどが必要となる。ＩＰアドレスなどの設定パラメータの値は、そのネットワーク装置の操作部を操作することにより入力されたり、ＤＨＣＰ（Dynamic Host Configuration Protocol ）サーバから割り当てられたりする。
【０００４】
【特許文献１】特開２００４−７８３９２号公報（図１など）
【発明の開示】
【発明が解決しようとする課題】
【０００５】
しかしながら、プリンタ、スキャナあるいはそれら両方の機能を有する複合機といった、画像を入力および／または出力する装置には、アルファベット、数字を入力可能なキーボード、テンキーなどの筐体上比較的大きなスペースを必要とする操作部はほとんど設けられないため、簡易な操作部を操作することによりＩＰアドレスなどの設定パラメータの値を入力する場合には煩雑な作業となってしまう。また、ＤＨＣＰサーバなどから設定パラメータの値を取得する場合には、ＤＨＣＰサーバプログラムを他のネットワーク装置にインストールする必要があり、また、そのような他のネットワーク装置が存在しない場合には、ネットワークを介しての通信が困難になってしまう。例えば、スキャナ機能などの複合機能を有するプリンタについては、近年、パーソナルコンピュータが存在しなくても、デジタルスチルカメラなどから直接印刷を実行することができる機種が存在する。
【０００６】
本発明は、上記の問題に鑑みてなされたものであり、簡易な操作部で自機にて、煩雑な操作をすることなく、ネットワーク通信の設定パラメータの値を設定することができる画像入力装置、画像入出力装置および通信用パラメータ値設定方法を得ることを目的とする。
【課題を解決するための手段】
【０００７】
上記の課題を解決するために、本発明では以下のようにした。
【０００８】
本発明に係る画像入力装置は、有線および／または無線でネットワークに接続可能なネットワークインタフェースと、ネットワークインタフェースを介して所定の通信プロトコルで通信を行う通信手段と、読取手段により読み取られた媒体の記載内容から画像処理により通信プロトコルの設定パラメータの値を取得するパラメータ値取得手段と、パラメータ値取得手段により取得された設定パラメータの値を通信手段に設定する設定手段とを備える。
【０００９】
これにより、ユーザによる媒体への記入内容に従って通信プロトコルの設定パラメータの値が設定されるため、簡易な操作部であっても自機にて、煩雑な操作をすることなく、ネットワーク通信の設定パラメータの値を設定することができる。
【００１０】
また、本発明に係る画像入力装置は、上記画像入力装置に加え、次のようにしてもよい。つまり、パラメータ値取得手段は、動的ホスト構成プロトコルの使用／不使用のパラメータ、当該装置のＩＰアドレス、サブネットマスク、ゲートウェイのＩＰアドレスおよびＤＮＳサーバのＩＰアドレスのうちの少なくとも１つの設定パラメータの値を取得する。
【００１１】
これにより、ユーザによる媒体への記入内容に従ってＩＰネットワークのノードにて必要な設定パラメータの値が設定されるため、簡易な操作部であっても自機にて、煩雑な操作をすることなく、ＩＰネットワークでの通信の設定パラメータの値を設定することができる。
【００１２】
また、本発明に係る画像入力装置は、上記画像入力装置のいずれかに加え、次のようにしてもよい。つまり、通信手段は、無線ＬＡＮ用の通信手段であり、パラメータ値取得手段は、ＷＥＰキーおよびＳＳＩＤのうちの少なくとも１つの設定パラメータの値を取得する。
【００１３】
これにより、ユーザによる媒体への記入内容に従って無線ＬＡＮの設定パラメータの値が設定されるため、簡易な操作部で自機にて、無線ＬＡＮでの通信の設定パラメータの値を設定することができる。
【００１４】
また、本発明に係る画像入力装置は、上記画像入力装置のいずれかに加え、次のようにしてもよい。つまり、パラメータ値取得手段は、媒体に記載された識別子の画像データからその媒体に記載されている設定パラメータを特定し、特定した設定パラメータについて、読取手段により読み取られた媒体の記載内容から設定パラメータの値を取得する。
【００１５】
これにより、設定パラメータの値を指定するための媒体が複数枚必要な場合でも、どの媒体でどの設定パラメータの値が設定されるのかが明確となり、設定パラメータの値の誤設定の発生を抑制することができる。
【００１６】
また、本発明に係る画像入力装置は、上記画像入力装置のいずれかに加え、次のようにしてもよい。つまり、パラメータ値取得手段は、読取手段により読み取られた媒体の画像内のセグメント塗潰型記入欄について塗潰用セグメントの塗り潰しパターンから１文字の数字またはアルファベットを特定し、１または複数のセグメント塗潰型記入欄について特定した１または複数の数字および／またはアルファベットを、通信プロトコルの設定パラメータの値とする。
【００１７】
これにより、選択肢の数（例えば０〜９の数字やＡ〜Ｚおよびａ〜ｚのアルファベットの数）だけマーク欄を配列させるより、媒体上での記入欄の占有面積を少なくすることができる。設定パラメータの数が多い場合には、読み取る媒体の枚数を少なくすることができる。
【００１８】
本発明に係る画像入出力装置は、有線および／または無線でネットワークに接続可能なネットワークインタフェースと、ネットワークインタフェースを介して所定の通信プロトコルで通信を行う通信手段と、画像処理を行い、読取手段により読み取られた媒体の記載内容から画像処理により通信プロトコルの設定パラメータの値を取得するパラメータ値取得手段と、パラメータ値取得手段により取得された設定パラメータの値を通信手段に設定する設定手段とを備える。そして、印刷手段は、通信プロトコルの設定パラメータの値の記入欄を媒体に印刷し、パラメータ値取得手段は、読取手段により得られた媒体の画像データから、印刷手段により媒体に印刷された記入欄への記載内容を特定し、その記載内容から設定パラメータの値を取得する。
【００１９】
これにより、ユーザによる媒体への記入内容に従って通信プロトコルの設定パラメータの値が設定されるため、簡易な操作部であっても自機にて、煩雑な操作をすることなく、ネットワーク通信の設定パラメータの値を設定することができる。特に、自機にて、媒体に記入欄を印刷することができるため、無地の印刷用紙があれば、別途、記入用の専用媒体を用意する必要がない。
【００２０】
また、本発明に係る画像入出力装置は、上記画像入出力装置に加え、次のようにしてもよい。つまり、パラメータ値取得手段は、動的ホスト構成プロトコルの使用／不使用のパラメータ、当該装置のＩＰアドレス、サブネットマスク、ゲートウェイのＩＰアドレスおよびＤＮＳサーバのＩＰアドレスのうちの少なくとも１つの設定パラメータの値を取得する。
【００２１】
これにより、ユーザによる媒体への記入内容に従ってＩＰネットワークのノードにて必要な設定パラメータの値が設定されるため、簡易な操作部であっても自機にて、煩雑な操作をすることなく、ＩＰネットワークでの通信の設定パラメータの値を設定することができる。
【００２２】
また、本発明に係る画像入出力装置は、上記画像入出力装置のいずれかに加え、次のようにしてもよい。つまり、通信手段は、無線ＬＡＮ用の通信手段であり、パラメータ値取得手段は、ＷＥＰキーおよびＳＳＩＤのうちの少なくとも１つの設定パラメータの値を取得する。
【００２３】
これにより、ユーザによる媒体への記入内容に従って無線ＬＡＮの設定パラメータの値が設定されるため、簡易な操作部であっても自機にて、煩雑な操作をすることなく、無線ＬＡＮでの通信の設定パラメータの値を設定することができる。
【００２４】
また、本発明に係る画像入出力装置は、上記画像入出力装置のいずれかに加え、次のようにしてもよい。つまり、印刷手段は、通信プロトコルの設定パラメータの値の記入欄を媒体に印刷する際に、その媒体に記入欄を印刷する設定パラメータの種類を示す識別子をその媒体に併せて印刷する。
【００２５】
これにより、設定パラメータの値を指定するための媒体が複数枚必要な場合でも、どの媒体でどの設定パラメータの値が設定されるのかが明確となり、設定パラメータの値の誤設定の発生を抑制することができる。
【００２６】
また、本発明に係る画像入出力装置は、上記画像入出力装置のいずれかに加え、次のようにしてもよい。つまり、パラメータ値取得手段は、媒体に記載された識別子の画像データからその媒体に記載されている設定パラメータを特定し、特定した設定パラメータについて、読取手段により読み取られた媒体の記載内容から設定パラメータの値を取得する。
【００２７】
これにより、設定パラメータの値を指定するための媒体が複数枚必要な場合でも、どの媒体でどの設定パラメータの値が設定されるのかが明確となり、設定パラメータの値の誤設定の発生を抑制することができる。
【００２８】
また、本発明に係る画像入出力装置は、上記画像入出力装置のいずれかに加え、次のようにしてもよい。つまり、印刷手段は、設定手段による設定パラメータの値の設定後に、通信手段に設定されている設定パラメータの値のリストを印刷する。
【００２９】
これにより、媒体を使用して設定した通信プロトコルの設定パラメータの値をユーザが確認することができ、設定パラメータの値の誤設定を抑制することができる。
【００３０】
また、本発明に係る画像入出力装置は、上記画像入出力装置のいずれかに加え、次のようにしてもよい。つまり、画像入出力装置は、設定手段により通信プロトコルの設定パラメータの値が設定された後に通信プロトコルまたはその上位プロトコルによって通信を行いその設定パラメータの値での通信の可否を検証する検証手段をさらに備える。そして、印刷手段がその検証手段の検証結果を印刷する。
【００３１】
これにより、媒体を使用して設定した通信プロトコルの設定パラメータの値が適切なものであったか否かをユーザが確認することができ、設定パラメータの値の誤設定を抑制することができる。
【００３２】
また、本発明に係る画像入出力装置は、上記画像入出力装置のいずれかに加え、次のようにしてもよい。つまり、印刷手段は、通信プロトコルの設定パラメータの値の記入欄を媒体に印刷する際に、同一の媒体または別の媒体に、現時点で設定されている通信プロトコルの設定パラメータの値のリストを印刷する。
【００３３】
これにより、現時点での通信プロトコルの設定パラメータの値をユーザが参考にすることができ、媒体による設定時に設定パラメータの値の誤まる可能性を抑制することができる。
【００３４】
また、本発明に係る画像入出力装置は、上記画像入出力装置のいずれかに加え、次のようにしてもよい。つまり、印刷手段は、通信プロトコルの設定パラメータの値の記入欄を媒体に印刷する際に、塗り潰しパターンから数字またはアルファベットを特定可能なセグメント塗潰型記入欄を、所定の文字数分、印刷する。
【００３５】
これにより、選択肢の数（０〜９の数字やＡ〜Ｚおよびａ〜ｚのアルファベットの数）だけマーク欄を配列させるより、媒体上での記入欄の占有面積を少なくすることができる。設定パラメータの数が多い場合には、読み取る媒体の枚数を少なくすることができる。
【００３６】
また、本発明に係る画像入出力装置は、上記画像入出力装置のいずれかに加え、次のようにしてもよい。つまり、パラメータ値取得手段は、読取手段により読み取られた媒体の画像内のセグメント塗潰型記入欄について塗潰用セグメントの塗り潰しパターンから１文字の数字またはアルファベットを特定し、１または複数のセグメント塗潰型記入欄について特定した１または複数の数字および／またはアルファベットを、通信プロトコルの設定パラメータの値とする。
【００３７】
これにより、選択肢の数（例えば０〜９の数字やＡ〜Ｚおよびａ〜ｚのアルファベットの数）だけマーク欄を配列させるより、媒体上での記入欄の占有面積を少なくすることができる。設定パラメータの数が多い場合には、読み取る媒体の枚数を少なくすることができる。
【００３８】
また、本発明に係る画像入出力装置は、上記画像入出力装置のいずれかに加え、次のようにしてもよい。つまり、印刷手段は、通信プロトコルの設定パラメータの値の記入欄を媒体に印刷するとともに、その記入欄に現在の設定値を印刷する。
【００３９】
これにより、装置の設定を工場出荷状態などの初期状態にリセットしてしまったときに、記入欄に現在の設定値を印刷した媒体を使用して設定パラメータの値を設定することで、以前と同じ設定に簡単に復帰させることができる。
【００４０】
本発明に係る通信用パラメータ値設定方法は、画像入力装置の読取手段により媒体の記載内容を読み取るステップと、読取手段により読み取られた媒体の記載内容から画像処理により通信プロトコルの設定パラメータの値を取得するステップと、取得した設定パラメータの値を画像入力装置の通信手段に設定するステップとを備える。
【００４１】
これにより、ユーザによる媒体への記入内容に従って通信プロトコルの設定パラメータの値が設定されるため、簡易な操作部であっても自機にて、煩雑な操作をすることなく、ネットワーク通信の設定パラメータの値を設定することができる。
【発明を実施するための最良の形態】
【００４２】
以下、図に基づいて本発明の実施の形態を説明する。
【００４３】
実施の形態１．
図１は、本発明の実施の形態１に係る画像入出力装置の構成を示すブロック図である。図１に示す画像入出力装置は、スキャナ機能とプリンタ機能を有する複合機である。図１において、プリンタ装置１は、印刷用紙などの媒体上に文字、画像などを印刷するための機構であって、媒体の給紙、排紙および搬送を行う搬送機構、インク、トナーなどの色素を媒体の表面に定着させる定着機構などを有する。なお、プリンタ装置１がインクジェットプリンタである場合には、インク吐出ヘッド、ヘッド駆動機構などが定着機構に含まれる。また、プリンタ制御部２は、印刷コマンドに応じてプリンタ装置１の各機構を制御して、印刷用紙などの媒体上に文字や画像などの像を形成させる制御部である。プリンタ制御部２は、プログラムを内蔵したマイクロプロセッサおよび／または専用の電子回路で構成される。なお、プリンタ装置１およびプリンタ制御部２は、印刷用紙などの媒体に文字、画像などを印刷する印刷手段を構成する。
【００４４】
また、スキャナ装置３は、媒体に光を当てる投光素子、媒体からの反射光を検出する撮像素子、および媒体または撮像素子を搬送する搬送機構を有する。フラットヘッド型の装置の場合には、透明な原稿台の上に媒体が配置され、搬送機構により撮像素子および撮像素子が搬送される。ＡＤＦ（Auto Document Feeder）型の装置の場合には、搬送機構により媒体が搬送される。スキャナ制御部４は、制御信号に応じてスキャナ装置３の各機構を制御して、媒体に記載されている像に対応する電気信号を撮像素子から取得し画像データとして出力する制御部である。スキャナ制御部４は、プログラムを内蔵したマイクロプロセッサおよび／または専用の電子回路で構成される。なお、スキャナ装置３およびスキャナ制御部４は、媒体の記載内容を画像として光学的に読み取り画像データ化する読取手段を構成する。
【００４５】
また、有線ネットワーク装置５は、例えばイーサネット（登録商標）のように、通信ケーブルを介して電気信号を送受する物理層を含むインタフェース回路である。有線ネットワーク制御部６は、有線ネットワーク装置５を制御して、通信ケーブルを介して、物理層より上位の階層に属する通信プロトコルに従ってデータの送受を行う制御部である。有線ネットワーク制御部６は、プログラムを内蔵したマイクロプロセッサおよび／または専用の電子回路で構成される。なお、有線ネットワーク装置５は、有線でネットワークに接続可能なネットワークインタフェースであり、また、有線ネットワーク制御部６は、そのネットワークインタフェースを介して所定の通信プロトコルで通信を行う通信手段である。
【００４６】
また、無線ネットワーク装置７は、無線（電波、赤外線など）で信号を送受する物理層を含むインタフェース回路である。無線ネットワーク制御部８は、無線ネットワーク装置７を制御して、無線通信路を確立しその無線通信路を介して、物理層より上位の階層でデータの送受を行う制御部である。無線ネットワーク制御部８は、プログラムを内蔵したマイクロプロセッサおよび／または専用の電子回路で構成される。なお、無線ネットワーク装置７は、無線でネットワークに接続可能なネットワークインタフェースであり、また、無線ネットワーク制御部８は、そのネットワークインタフェースを介して所定の通信プロトコルで通信を行う通信手段である。
【００４７】
また、ネットワーク管理部９は、有線ネットワーク制御部６および／または無線ネットワーク制御部８により使用される通信プロトコルの設定パラメータの値を不揮発性メモリの設定情報記憶部９ａに格納し、その通信プロトコルの設定パラメータの値を、有線ネットワーク制御部６および／または無線ネットワーク制御部８に設定する設定手段として機能する。なお、ネットワーク管理部９は、プログラムを内蔵したマイクロプロセッサおよび／または専用の電子回路で構成される。
【００４８】
また、データ記憶部１０は、印刷に使用するデータや、スキャナ装置３およびスキャナ制御部４により得られた画像データを一時的に格納する記憶部である。データ記憶部１０は、例えばＲＡＭ（Random Access Memory）などで構成される。これらのデータは、有線ネットワーク装置５または無線ネットワーク装置７を介して他の装置から入力されたり他の装置へ出力されたりする。
【００４９】
また、オーダシート生成部１１は、有線ネットワーク制御部６および／または無線ネットワーク制御部８で使用される設定パラメータの値をユーザが記入するオーダシートを印刷するためのデータ（例えば印刷コマンド）を生成するデータ処理部である。特に、このオーダシート生成部１１は、オーダシート書式記憶部１２の書式情報を参照して、設定対象となる設定パラメータの種類に対応するオーダシートの印刷するためのデータを生成するデータ処理部である。このオーダシートは、設定パラメータ値記入用のテンプレート用紙ともいえる。
【００５０】
また、オーダシート書式記憶部１２は、設定対象となる設定パラメータの種類に対応する各オーダシートの書式情報を記憶する記憶部である。このオーダシート書式記憶部１２は、不揮発性メモリなどで構成される。また、オーダシートの書式情報とは、オーダシートとそのオーダシートに値を記入される設定パラメータとの対応関係、各設定パラメータの記入欄の種別（選択肢マーク欄、文字記入枠など）およびその位置を示す記入欄情報などである。なお、選択肢マーク欄とは、設定値の選択肢のそれぞれに対応して設けられた楕円、長方形等の塗り潰し用の欄のことである。書式情報には、この選択肢のデータと塗り潰し用欄（マーク欄）の位置との対応関係が含まれる。また、文字記入枠とは、手書きなどで枠内に数字やアルファベットが記入される枠のことである。
【００５１】
また、オーダシート解析部１３は、スキャナ装置３およびスキャナ制御部４により読み取られた媒体の記載内容を示す画像データに対して画像処理を行い、媒体の記載内容から有線ネットワーク制御部６および／または無線ネットワーク制御部８における通信プロトコルの設定パラメータの値を取得するパラメータ値取得手段として機能する。なお、オーダシート解析部１３は、プログラムを内蔵したマイクロプロセッサおよび／または専用の電子回路で構成される。特に、このオーダシート解析部１３は、オーダシート書式記憶部１２における書式情報を参照して各設定パラメータの記入欄の種別および位置などを特定し、その記入欄内の画像に基づいて、ユーザが記入した各設定パラメータの値を特定する。ＯＣＲ解析部１４は、ある画像データから、画像として含まれる数字および／またはアルファベットを特定する、ＯＣＲ（Optical Character Recognition ）技術に基づくデータ処理部である。
【００５２】
例えば、ある設定パラメータの記入欄が選択肢マーク欄の配列である場合、オーダシート解析部１３は、各選択肢マーク欄内の画像の輝度値に基づいて、塗り潰されている選択肢マーク欄を特定し、その選択肢マーク欄に対応する値を、その設定パラメータの値とする。
【００５３】
また、例えば、ある設定パラメータの記入欄が所定の桁数の数字の記入枠である場合、オーダシート解析部１３は、ＯＣＲ解析部１４により各桁の記入枠内の画像から記入された数字（１文字）を特定させ、特定された所定の桁数の数字を、その設定パラメータの値とする。
【００５４】
また、例えば、ある設定パラメータの記入欄が所定の文字数の数字またはアルファベットの記入枠である場合、オーダシート解析部１３は、ＯＣＲ解析部１４により各桁の記入枠内の画像から記入された文字（１文字）を特定させ、特定された所定の文字数の文字列を、その設定パラメータの値とする。
【００５５】
また、中央制御部１５は、この画像入出力装置内の各部を制御し、各部の動作を開始させたり停止させたりする制御部である。なお、中央制御部１５は、プログラムを内蔵したマイクロプロセッサおよび／または専用の電子回路で構成される。
【００５６】
また、操作部１６は、この画像入出力装置の筐体上に設けられた、電源スイッチ、印刷開始ボタン、印刷中止ボタン、図示せぬ筐体上の小型液晶モニタの表示メニューの項目を選択するための矢印ボタンなどの操作ボタンのみを有する簡易な操作部である。つまり、操作部１６には、テンキー、アルファベット入力用のキーボードなどといった、数字やアルファベットを１回の押下操作で１文字ずつ直接入力するための操作部は存在しない。
【００５７】
次に、上記装置の動作について説明する。図２は、実施の形態１に係る画像入出力装置の通信用設定パラメータの設定時の動作を説明するフローチャートである。
【００５８】
まず、操作部１６が操作されネットワーク設定オーダシートの印刷が指示されると、中央制御部１５は、その操作を検出し、ネットワーク設定オーダシートの印刷指令をオーダシート生成部１１へ供給する（ステップＳ１）。
【００５９】
オーダシート生成部１１は、オーダシート書式記憶部１２を参照してオーダシートの書式を特定し、それに応じた印刷データをプリンタ制御部２に供給する。プリンタ制御部２は、その印刷データに基づいてプリンタ装置１を制御し、印刷用紙などの媒体に、記入欄などを印刷する（ステップＳ２）。これにより、媒体に記入欄が印刷されたオーダシートが生成される。
【００６０】
図３および図４は、実施の形態１に係る画像入出力装置により印刷されたオーダシートの一例を示す図である。図３に示すオーダシートは、ＤＨＣＰを使用するか否かのパラメータ、当該装置のＩＰアドレス、サブネットマスク、およびゲートウェイのＩＰアドレスの値を指定するためのオーダシートである。このオーダシートでは、ＤＨＣＰを使用するか否かについては、記入欄が選択肢マーク欄５１とされ、当該装置のＩＰアドレス、サブネットマスク、およびゲートウェイのＩＰアドレスのそれぞれについては、記入欄が、１２桁の数字分の数字記入枠５２および数字選択用の選択肢マーク欄の配列５３とされている。
【００６１】
また、図４に示すオーダシートは、ＤＮＳを自動設定するか手動設定するかのパラメータ、プライマリＤＮＳサーバのＩＰアドレスおよびセカンダリＤＮＳサーバのＩＰアドレスの値を指定するためのオーダシートである。このオーダシートでは、ＤＮＳを自動設定するかについては、記入欄が選択肢マーク欄５４とされ、ＤＮＳサーバのＩＰアドレスについては、記入欄が、１２桁の数字分の数字記入枠５５および数字選択用の選択肢マーク欄の配列５６とされている。
【００６２】
実施の形態１では、例えば２枚の印刷用紙に、図３に示す記入欄と図４に示す記入欄がそれぞれ印刷され、２枚のオーダシートが生成される。
【００６３】
そして、ユーザは、２枚のオーダシートへ、設定値を記入する。図３に示すオーダシートの場合、まず、「ＩＰアドレス自動設定」と「ＩＰアドレス手動設定」の選択肢マーク欄のいずれかが、鉛筆、ペンなどで塗り潰される。そして、「ＩＰアドレス手動設定」が指定された場合には、さらに、「ＩＰアドレス」について、４組の３桁の数字記入枠に数字が手書き等で記入され、各記入枠の下側に配列された０〜９の数字のうちの該当する数字に対応する選択肢マーク欄が塗り潰される。また、「ＩＰアドレス手動設定」が指定された場合には、「サブネットマスク」および「デフォルトゲートウェイ」についても、同様にして記入される。
【００６４】
図５は、図３に示すオーダシートの記入例を示す図である。図５に示す記入済みオーダシートでは、まず、「ＩＰアドレス手動設定」が選択され、「ＩＰアドレス」について、自機のＩＰアドレスとして、「１９２．１６８．０００．０１７」が指定され、「サブネットマスク」について、「２５５．２５５．２５５．０００」が指定され、「デフォルトゲートウェイ」について、「１９２．１６８．０００．００１」が指定されている。
【００６５】
また、図４に示すオーダシートの場合、まず、「ＤＮＳ自動設定」と「ＤＮＳ手動設定」の選択肢マーク欄のいずれかが、鉛筆、ペンなどで塗り潰される。そして、「ＤＮＳ手動設定」が指定された場合には、「ＤＮＳサーバ（プライマリ）」について、図３の「ＩＰアドレス」と同様にして、プライマリＤＮＳサーバのＩＰアドレスが記入され、「ＤＮＳサーバ（セカンダリ）」について、同様にして、セカンダリＤＮＳサーバのＩＰアドレスが記入される。
【００６６】
さらに、無線ネットワーク制御部８の通信プロトコルが無線ＬＡＮ（例えばＩＥＥＥ８０２．１１系）である場合には、同様にして、無線ＬＡＮの設定パラメータ用のオーダシートが生成される。図６は、実施の形態１に係る画像入出力装置により印刷された無線ＬＡＮ用のオーダシートの一例を示す図である。図６に示すオーダシートは、通信モード、当該装置の属するグループのＳＳＩＤ（Service Set Identifier）、暗号化方式、および暗号化のキー生成に使用されるキー文字列の値を指定するためのオーダシートである。このオーダシートでは、通信モードのパラメータについては、記入欄が、「インフラストラクチャモード」および「アドホックモード」の選択肢マーク欄とされ、ＳＳＩＤについては、記入欄が、３２文字分の文字記入枠とされ、暗号化方式については、記入欄が、「ＷＥＰ」、「ＷＰＡ」、「オフ」の選択肢マーク欄とされ、キー文字列については、記入欄が、２６文字分の文字記入枠とされている。なお、ＷＥＰ（Wired Equivalent Privacy）は、秘密鍵による暗号化方式の１つである。また、ＷＰＡ（Wi-Fi Protected Access）は、ユーザ認証機能およびキー更新機能を有する暗号化方式の１つである。
【００６７】
また、無線ネットワーク制御部８の通信プロトコルがブルーツース（商標）である場合には、同様にして、ブルーツース（商標）の設定パラメータ用のオーダシートが生成される。図７は、実施の形態１に係る画像入出力装置により印刷されたブルーツース（商標）用のオーダシートの一例を示す図である。図７に示すオーダシートは、本体番号、通信モード、暗号化のオン／オフ、およびパスキーの値を指定するためのオーダシートである。このオーダシートでは、本体番号については、記入欄が、０〜９の選択肢マーク欄とされ、通信モードについては、記入欄が、「パブリック」、「プライベート」および「ボンディング」の選択肢マーク欄とされ、暗号化のオン／オフについては、記入欄が、「オン」および「オフ」の選択肢マーク欄とされ、パスキーについては、記入欄が、４文字分の文字記入枠とされている。
【００６８】
このようにして、オーダシートとしては、画像入出力装置に実装されているネットワーク通信機能の種類に応じたものが、印刷用紙などの媒体に記入欄を印刷することで生成される。
【００６９】
そして、ユーザにより、記入後のオーダシートがスキャナ装置３にセットされ、読み取りのための操作が操作部１６に対して行われると、中央制御部１５は、その操作を検出し、読取指令をスキャナ制御部４に供給する（ステップＳ３）。
【００７０】
スキャナ制御部４は、読取指令を受けると、スキャナ装置３を制御し、読み取った画像のデータをオーダシート解析部１３へ供給する（ステップＳ４）。これにより、記入後のオーダシートの画像データがオーダシート解析部１３へ供給される。
【００７１】
オーダシート解析部１３は、オーダシート書式記憶部１２から各オーダシートについての書式情報を読み出し、まず、各オーダシートにおける設定パラメータの種類を特定し、その設定パラメータの記入欄の種別および位置を特定し、記入欄内の画像に基づいて、ユーザにより記入された設定パラメータの値を特定する（ステップＳ５）。その際、選択肢マーク欄の場合には、マークされた選択肢マーク欄に対応する値が、設定パラメータの値とされ、１または複数の文字記入枠の場合には、ＯＣＲ解析部１４により枠内の画像のデータから特定された１または複数の文字が、設定パラメータの値とされる。そして、オーダシート解析部１３は、各設定パラメータについて特定した値をネットワーク管理部９へ供給する。
【００７２】
例えば、図５に示す記入済みオーダシートの場合、まず、「ＩＰアドレスの手動設定」が選択され２つの選択肢マーク欄５１のうちの右側の欄５１が塗り潰されているので、オーダシート解析部１３は、ＤＨＣＰのオン／オフの設定パラメータの値としてオフを取得する。また、ＩＰアドレスなどについては、オーダシート解析部１３は、ＩＰアドレスなどの各桁に対応する選択肢マーク欄の配列５３のうちの塗り潰されている選択肢マーク欄の位置から各桁の数字（０〜９のいずれか）を特定する。
【００７３】
ネットワーク管理部９は、各設定パラメータについてオーダシート解析部１３により特定された値を設定情報記憶部９ａに格納するとともに、その値を優先ネットワーク制御部６および／または無線ネットワーク制御部８に設定する（ステップＳ６）。なお、設定パラメータについて、設定情報記憶部９ａに格納済みの値がある場合には、その値は、オーダシート解析部１３により特定された値で更新される。図５に示すオーダシートから設定パラメータの値が取得された場合には、ＤＨＣＰのオン／オフのパラメータ、自機ＩＰアドレス、サブネットマスク、デフォルトゲートウェイのＩＰアドレスといった設定パラメータの値として、ＤＨＣＰオフ、１９２．１６８．０００．００１、２５５．２５５．２５５．０００および１９２．１６８．０００．００１が設定される。
【００７４】
このようにして、ステップＳ３からステップＳ６までの一連の処理により、１枚のオーダシートから設定パラメータの値が抽出され、その設定パラメータの値が有線ネットワーク制御部６および／または無線ネットワーク制御部８の設定値に反映される。
【００７５】
そして、ステップＳ２において生成されたすべてのオーダシートについての設定パラメータの値の読取・抽出が完了するか、所定の中止操作が操作部１６にあるまで、ステップＳ３からステップＳ７までの一連の処理が、各オーダシートについて実行される。
【００７６】
ステップＳ２において生成されたすべてのオーダシートについての設定パラメータの値の読取・抽出が完了した場合、あるいは所定の中止操作が操作部１６にあった場合には、中央制御部１５は、ネットワーク管理部９の設定情報記憶部９ａから有線ネットワーク制御部６および無線ネットワーク制御部８のすべての設定パラメータの値を読み出し、プリンタ制御部２にそれらの設定パラメータの値を供給し、プリンタ装置１により、それらの設定パラメータの値を印刷させる（ステップＳ８）。
【００７７】
以上のように、上記実施の形態１によれば、オーダシート解析部１３が、画像処理を行い、スキャナ装置３およびスキャナ制御部４により読み取られたオーダシートの記載内容から通信プロトコルの設定パラメータの値を取得し、ネットワーク管理部９が、その設定パラメータの値を有線ネットワーク制御部６および／または無線ネットワーク制御部８に設定する。
【００７８】
これにより、ユーザによる媒体への記入内容に従って通信プロトコルの設定パラメータの値が設定されるため、簡易な操作部であっても自機にて、煩雑な操作をすることなく、ネットワーク通信の設定パラメータの値を設定することができる。また、実施の形態１では、自機にて、媒体に記入欄を印刷してオーダシートを生成することができるため、無地の印刷用紙があれば、別途、記入用の専用媒体を用意する必要がない。
【００７９】
また、上記実施の形態１によれば、オーダシート解析部１３は、動的ホスト構成プロトコルを使用するか否かのパラメータ、当該装置のＩＰアドレス、サブネットマスク、ゲートウェイのＩＰアドレスおよびＤＮＳサーバのＩＰアドレスのうちの少なくとも１つの設定パラメータの値を取得する。これにより、ユーザによる媒体への記入内容に従ってＩＰネットワークのノードにて必要な設定パラメータの値が設定されるため、煩雑な操作をすることなく、Ｉネットワークでの通信の設定パラメータの値を設定することができる。
【００８０】
また、上記実施の形態１によれば、オーダシート解析部１３は、ＷＥＰキーおよびＳＳＩＤのうちの少なくとも１つの設定パラメータの値を取得する。これにより、ユーザによる媒体への記入内容に従って無線ＬＡＮの設定パラメータの値が設定されるため、煩雑な操作をすることなく、無線ＬＡＮでの通信の設定パラメータの値を設定することができる。
【００８１】
また、上記実施の形態１によれば、プリンタ装置１およびプリンタ制御部２は、ネットワーク管理部９による設定パラメータの値の設定後に、ネットワーク制御部６，８により使用される通信プロトコルの設定パラメータの値のリストを印刷する。これにより、媒体を使用して設定した通信プロトコルの設定パラメータの値をユーザが確認することができ、設定パラメータの値の誤設定を抑制することができる。
【００８２】
実施の形態２．
本発明の実施の形態２に係る画像入出力装置は、７個のセグメントのうちの複数のセグメントを所定のパターンで塗り潰すことで０〜９の数字を選択可能なセグメント塗潰型記入欄を印刷してオーダシートを生成するとともに、そのセグメント塗潰型記入欄に対して記入済みのオーダシートの画像に基づいて、ユーザ所望の設定パラメータの値を取得し、その設定パラメータの値を有線ネットワーク制御部６および無線ネットワーク制御部８に設定する。
【００８３】
なお、実施の形態２に係る画像入出力装置の動作および構成については、媒体への記入欄の印刷、およびオーダシート（つまり媒体）からの設定パラメータの値の取得以外、実施の形態１の場合と同様であるので、その説明を省略する。
【００８４】
次に、実施の形態２における媒体への記入欄の印刷およびオーダシート（つまり媒体）からの設定パラメータの値の取得について説明する。
【００８５】
図８は、実施の形態２に係る画像入出力装置により印刷されたオーダシートの一例を示す図である。図８に示すオーダシートは、ＤＨＣＰを使用するか否かのパラメータ、当該装置のＩＰアドレス、サブネットマスク、ゲートウェイのＩＰアドレス、ＤＮＳを自動設定するか手動設定するかのパラメータ、プライマリＤＮＳサーバのＩＰアドレスおよびセカンダリＤＮＳサーバのＩＰアドレスの値を指定するためのオーダシートである。このオーダシートでは、ＤＨＣＰを使用するか否かについては、記入欄が選択肢マーク欄６１とされ、当該装置のＩＰアドレス、サブネットマスク、およびゲートウェイのＩＰアドレスのそれぞれについては、記入欄が、１２桁の数字分のセグメント塗潰型記入欄６２とされている。また、このオーダシートでは、ＤＮＳを自動設定するかについては、記入欄が選択肢マーク欄６３とされ、ＤＮＳサーバのＩＰアドレスについては、記入欄が、１２桁の数字分のセグメント塗潰型記入欄６４とされている。セグメント塗潰型記入欄は、数字の形状を表すための７個のセグメントからなる。
【００８６】
また、実施の形態２に係る画像入出力装置では、プリンタ装置１およびプリンタ制御部２により、セグメント塗潰型記入欄に対する数字の記入見本６５が、記入欄とともに印刷される。記入見本としては、数字と、その数字に対応して塗り潰されたセグメント塗潰型記入欄とが併せて、０〜９の数字について印刷される。なお、各数字に対応する塗り潰しパターンとそれに対応する数字との対応関係は、オーダシートの書式情報として、オーダシート書式記憶部１２に予め記憶され、それに基づいて、オーダシート生成部１１が、媒体への記入見本の印刷をプリンタ制御部２などに実行させる。
【００８７】
ユーザは、この記入見本に従って、所望の数字を指定するための該当するセグメントを塗り潰す。
【００８８】
そして、オーダシート解析部１３は、まず、読み取られた画像におけるセグメント塗潰型記入欄内の各セグメントの位置を特定し、セグメントの塗り潰しのパターンを特定し、そのパターンに対応付けられている０〜９のいずれかの数字を、そのセグメント塗潰型記入欄に記入された数字と判断する。この塗り潰しのパターンとそれに対応する数字との対応関係は、オーダシート上の記入見本と同一のものである。オーダシート解析部１３は、オーダシートに印刷された記入見本、またはオーダシート書式記憶部１２におけるオーダシートの書式情報から、塗り潰しパターンとそれに対応する数字との対応関係の情報を取得し、それに基づいて、数字の種類を判定する。
【００８９】
このようにして、各ＩＰアドレスおよびサブネットマスクの値として、１２桁の数字が取得される。そして、各設定パラメータの値が、ネットワーク管理部９により記憶されるとともに、ネットワーク制御部６，８に設定される。
【００９０】
以上のように、上記実施の形態２によれば、プリンタ装置１およびプリンタ制御部２は、通信プロトコルの設定パラメータの値の記入欄を媒体に印刷する際に、塗り潰しパターンから数字を特定可能な複数の塗潰用セグメントからなるセグメント塗潰型記入欄を、所定の文字数分印刷する。また、上記実施の形態２によれば、オーダシート解析部１３は、読み取られた媒体におけるセグメント塗潰型記入欄において、塗り潰されている塗潰用セグメントのパターンから１文字の数字を特定し、１または複数のセグメント塗潰型記入欄内の画像から特定された１または複数の数字を、通信プロトコルの設定パラメータの値とする。
【００９１】
これにより、数字列の各桁につき選択肢の数（０〜９の数字の数＝１０個）だけマーク欄を配列させるより、媒体上での記入欄の占有面積を少なくすることができる。設定パラメータの数が多い場合には、読み取る媒体の枚数を少なくすることができる。
【００９２】
特に、当該装置のＩＰアドレス、サブネットマスク、ゲートウェイのＩＰアドレス、プライマリＤＮＳサーバのＩＰアドレスおよびセカンダリＤＮＳサーバのＩＰアドレスのための５つの記入欄を印刷する場合には、実施の形態２のようにしてセグメント塗潰型記入欄を使用することで、例えば図８に示すようにオーダシートをＡ４の印刷用紙１枚で生成することができる。
【００９３】
実施の形態３．
本発明の実施の形態３に係る画像入出力装置は、９個のセグメントのセグメント塗潰型記入欄と、アルファベットの大文字、小文字および数字についての選択肢マーク欄とを組み合わせることで、アルファベットの大文字（Ａ〜Ｚ）、小文字（ａ〜ｚ）および数字（０〜９）のいずれかの文字を指定できる選択肢マーク欄付きセグメント塗潰型記入欄を印刷してオーダシートを生成するとともに、その選択肢マーク欄付きセグメント塗潰型記入欄に対して記入済みのオーダシートの画像に基づいて、ユーザ所望の設定パラメータの値を取得し、その設定パラメータの値を有線ネットワーク制御部６および／または無線ネットワーク制御部８に設定する。
【００９４】
なお、実施の形態３に係る画像入出力装置の動作および構成については、媒体への記入欄の印刷、およびオーダシート（つまり媒体）からの設定パラメータの値の取得以外、実施の形態１の場合と同様であるので、その説明を省略する。
【００９５】
次に、実施の形態３における媒体への記入欄の印刷およびオーダシート（つまり媒体）からの設定パラメータの値の取得について説明する。
【００９６】
図９は、実施の形態３に係る画像入出力装置により印刷されたオーダシートの一例を示す図である。図９に示すオーダシートは、無線ＬＡＮの設定パラメータ用のオーダシートである。図９に示すオーダシートは、通信モード、当該装置の属するグループのＳＳＩＤ、暗号化方式、および暗号化のキー生成に使用されるキー文字列の値を指定するためのオーダシートである。このオーダシートでは、通信モードのパラメータについては、記入欄が、「インフラストラクチャモード」および「アドホックモード」の選択肢マーク欄とされ、ＳＳＩＤについては、記入欄が、３２文字分の選択肢マーク欄付きセグメント塗潰型記入欄とされ、暗号化方式については、記入欄が、「ＷＥＰ」、「ＷＰＡ」、「オフ」の選択肢マーク欄とされ、キー文字列については、記入欄が、２６文字分の選択肢マーク欄付きセグメント塗潰型記入欄とされている。選択肢マーク欄付きセグメント塗潰型記入欄は、アルファベットまたは数字の形状を表すための９個のセグメント並びにアルファベットの大文字、小文字または数字を選択するための３つの選択肢マーク欄からなる。
【００９７】
また、実施の形態３に係る画像入出力装置では、プリンタ装置１およびプリンタ制御部２により、選択肢マーク欄付きセグメント塗潰型記入欄に対する数字の記入見本が、記入欄とともに印刷される。記入見本としては、アルファベットまたは数字と、そのアルファベットまたは数字に対応して塗り潰されたセグメントのパターンおよび選択肢マーク欄とが併せて、Ａ〜Ｚのアルファベットと０〜９の数字について印刷される。なお、アルファベットの大文字と小文字との指定の違いは、選択肢マーク欄の塗り潰し位置が異なるだけである。なお、各アルファベットおよび数字に対応する塗り潰しパターンは、各文字の形状に近いものとされ、ユーザが連想しやすいものに予め決定される。図９に示す例では、アルファベットＭ，Ｔ，Ｗについては、横方向から見たときに形状が近くなるパターンとされ、アルファベットＸについては、Ｘの右側半分を表した形状のパターンとされている。
【００９８】
ユーザは、この記入見本に従って、所望のアルファベットまたは数字を指定するための該当するセグメントを塗り潰す。
【００９９】
そして、オーダシート解析部１３は、まず、読み取られた画像における選択肢マーク欄付きセグメント塗潰型記入欄の各選択肢マーク欄およびセグメントの位置を特定し、３つのうちのどの選択肢マーク欄が塗り潰されているかおよびセグメントの塗り潰しのパターンを特定し、そのパターンに対応するアルファベットまたは数字を、その記入欄に記入されたアルファベットまたは数字と判断する。この塗り潰しパターン（選択マーク欄の塗り潰しを含む）とそれに対応するアルファベットまたは数字との対応関係は、オーダシート上の記入見本と同一のものである。オーダシート解析部１３は、オーダシートに印刷された記入見本、またはオーダシート書式記憶部１２におけるオーダシートの書式情報から、塗り潰しパターンとそれに対応するアルファベットまたは数字との対応関係の情報を取得し、それに基づいて、アルファベットまたは数字の種類を判定する。
【０１００】
このようにして、アルファベットの大文字、小文字および数字が使用可能であってアルファベットの大文字と小文字が区別されるＳＳＩＤおよびキー文字列の値が取得される。そして、各設定パラメータの値が、ネットワーク管理部９により記憶されるとともに、無線ネットワーク制御部８に設定される。
【０１０１】
以上のように、上記実施の形態３によれば、プリンタ装置１およびプリンタ制御部２は、通信プロトコルの設定パラメータの値の記入欄を媒体に印刷する際に、塗り潰しパターンからアルファベットを特定可能な複数の塗潰用セグメントからなるセグメント塗潰型記入欄を、文字種別（アルファベット大文字、アルファベット小文字、数字）を選択するための選択肢マーク欄とともに、所定の文字数分印刷する。また、オーダシート解析部１３は、塗潰用セグメントの塗り潰しパターンおよび塗り潰されている選択肢マーク欄から１文字の数字またはアルファベットを特定し、１または複数の記入欄内の画像から特定された１または複数の数字および／またはアルファベットを、通信プロトコルの設定パラメータの値とする。
【０１０２】
これにより、各文字につき選択肢の数（０〜９の数字やＡ〜Ｚおよびａ〜ｚのアルファベットの数＝６２個）だけマーク欄を配列させるより、媒体上での記入欄の占有面積を少なくすることができる。設定パラメータの数が多い場合には、読み取る媒体の枚数を少なくすることができる。
【０１０３】
実施の形態４．
上記実施の形態１〜３に係る装置は画像入出力装置とされているが、実施の形態１〜３に係る装置の構成要素のうちのプリンタ装置１、プリンタ制御部２およびオーダシート生成部１１を有さない画像入力装置としてもよい。この場合、オーダシートは、例えば、画像入力装置と同梱されて予め用意されたり、図示せぬ印刷装置などにより印刷されて生成されたりする。この画像入力装置におけるオーダシートの記入内容の読み取り、設定パラメータの値の取得および設定については、実施の形態１〜３のいずれかと同様とすればよいので、その説明を省略する。
【０１０４】
なお、上述の各実施の形態は、本発明の好適な例であるが、本発明は、これらに限定されるものではなく、本発明の要旨を逸脱しない範囲において、種々の変形、変更が可能である。
【０１０５】
例えば、上記各実施の形態では、オーダシート生成部１１は、オーダシート書式記憶部１２を参照してオーダシートの書式を特定し、それに応じた印刷データを生成してプリンタ制御部２に供給しているが、その代わりに、所定の記憶媒体に予め記憶された設定パラメータの種類に応じた印刷データを読み出してプリンタ制御部２に供給するようにしてもよい。
【０１０６】
また、上記各実施の形態において、プリンタ装置１およびプリンタ制御部２は、通信プロトコルの設定パラメータの値の記入欄を媒体に印刷する際に、その媒体に記入欄を印刷する設定パラメータの種類を示す識別子（例えば、シリアル番号、バーコード、ＱＲコード（商標）など）をその媒体に併せて印刷するようにしてもよい。その場合、オーダシート解析部１３は、オーダシート（媒体）に記載された識別子の画像データからそのオーダシート（媒体）に記載されている設定パラメータの種類を特定し、特定した設定パラメータの種類に応じて、オーダシート（媒体）への記載内容から通信プロトコルの設定パラメータの値を取得するようにしてもよい。これにより、設定パラメータの値を指定するための媒体が複数枚必要な場合でも、どの媒体でどの設定パラメータの値が設定されるのかが明確となり、設定パラメータの値の誤設定の発生を抑制することができる。
【０１０７】
また、上記各実施の形態において、通信プロトコルの設定パラメータの値が設定された後に、通信プロトコルまたはその上位プロトコルによって通信を行い、その設定パラメータの値での通信の可否を検証する検証手段としてネットワーク管理部９が機能し、その検証結果をプリンタ制御部２およびプリンタ装置１に印刷させるようにしてもよい。
【０１０８】
また、上記各実施の形態において、プリンタ装置１およびプリンタ制御部２は、オーダシート生成部１１から指定された記入欄を媒体に印刷する際に、同一の媒体（印刷用紙）または別の媒体（印刷用紙）に、設定情報記憶部９ａに記憶されている通信プロトコルの設定パラメータの値のリストを、現時点で設定されている通信プロトコルの設定パラメータの値のリストとして印刷するようにしてもよい。その場合、現時点での通信プロトコルの設定パラメータの値をユーザが参考にすることができ、媒体による設定時に設定パラメータの値の誤まる可能性を抑制することができる。
【０１０９】
また、上記各実施の形態において、プリンタ装置１およびプリンタ制御部２は、通信プロトコルの設定パラメータの値の記入欄を媒体に印刷するとともに、その記入欄に現在の設定値を印刷するようにしてもよい。つまり、その場合には、現在の設定値に該当する選択肢マーク欄、セグメント塗潰型記入欄などが印刷により塗り潰されたり、現在の設定値を示す文字列が、手書き記入欄に印刷されたりする。これにより、装置のネットワーク設定を工場出荷状態などの初期状態にリセットしてしまったときに、記入欄に現在の設定値を印刷した媒体をオーダシートとし、そのオーダシートを使用して設定パラメータの値を設定することで、以前と同じ設定に簡単に復帰させることができる。
【図面の簡単な説明】
【０１１０】
【図１】実施の形態１に係る画像入出力装置の構成を示すブロック図である。
【図２】実施の形態１に係る画像入出力装置の動作を示すフローチャートである。
【図３】実施の形態１におけるオーダシートの一例を示す図である。
【図４】実施の形態１におけるオーダシートの一例を示す図である。
【図５】図３に示すオーダシートの記入例を示す図である。
【図６】実施の形態１での無線ＬＡＮ用オーダシートの一例を示す図である。
【図７】実施の形態１でのブルーツース（商標）用オーダシートの一例を示す図である。
【図８】実施の形態２でのオーダシートの一例を示す図である。
【図９】実施の形態３でのオーダシートの一例を示す図である。
【符号の説明】
【０１１１】
１  プリンタ装置（印刷手段の一部），２  プリンタ制御部（印刷手段の一部），３  スキャナ装置（読取手段の一部），４  スキャナ制御部（読取手段の一部），５  有線ネットワーク装置（ネットワークインタフェース），６  有線ネットワーク制御部（通信手段），７  無線ネットワーク装置（ネットワークインタフェース），８  無線ネットワーク制御部（通信手段），９  ネットワーク管理部（設定手段，検証手段），１３  オーダシート解析部（パラメータ値取得手段）
【図１】
2006080725.tif 000003
【図２】
2006080725.tif 000004
【図３】
2006080725.tif 000005
【図４】
2006080725.tif 000006
【図５】
2006080725.tif 000007
【図６】
2006080725.tif 000008
【図７】
2006080725.tif 000009
【図８】
2006080725.tif 000010
【図９】
2006080725.tif 000011